(57)【特許請求の範囲】
【請求項１】
複数のチャンネルの音声情報を含む多重信号を生成する手段と、
前記複数のチャンネルの全てと当該各チャンネルの音声情報の出力先との関係を示す、予め設定された複数のスピーカの組み合わせ配置を示す単一の情報から構成されるサラウンドモード情報を含む付加情報を生成する手段と、
前記多重信号と前記付加情報を情報記録媒体に記録する記録手段と、
からなることを特徴とする情報記録装置。
【請求項２】
請求項１に記載の情報記録装置において、
前記複数のチャンネルは１つの音声信号ストリームから構成されていることを特徴とする情報記録装置。
【請求項３】
請求項２に記載の情報記録装置において、
前記音声信号ストリームは最大でチャンネル番号０からチャンネル番号７の八つの前記チャンネルで構成されていることを特徴とする情報記録装置。
【請求項４】
請求項１ないし３のいずれか１に記載の情報記録装置において、
前記予め設定された組み合わせ配置を示す情報がオーディオコーディングモードに基づいて変化する情報であることを特徴とする情報記録装置。
【請求項５】
請求項１ないし４のいずれか１に記載の情報記録装置において、
前記サラウンドモード情報は、所定数のビット数で表されることを特徴とする情報記録装置。
【請求項６】
請求項１ないし５のいずれか１に記載の情報記録装置において、
前記付加情報は、前記音声情報全体に係る管理情報であることを特徴とする情報記録装置。
【請求項７】
請求項１ないし５のいずれか１に記載の情報記録装置において、
前記音声情報は複数のセルから構成され、
複数の当該セルを論理的に組み合わせることによりプログラムが構成され、前記付加情報は、前記プログラムを再生するためのコントロールデータを含み、
前記サラウンドモード情報は前記コントロールデータに含まれていることを特徴とする情報記録装置。
【請求項８】
請求項７に記載の情報記録装置において、
前記音声情報と前記コントロールデータとによりタイトルセットが構成されることを特徴とする情報記録装置。
【請求項９】
請求項１から８のいずれか一項に記載の情報記録装置において、
前記情報記録媒体はスタンパディスクであることを特徴とする情報記録装置。
【請求項１０】
請求項９に記載の情報記録装置において、
前記スタンパディスクを用いてレプリカディスクを製造するレプリケーション手段を更に備えたことを特徴とする情報記録装置。
【請求項１１】
請求項１０に記載の情報記録装置により製造されたレプリカディスク。
【請求項１２】
複数のチャンネルの音声情報を含む多重信号を生成する工程と、
前記複数のチャンネルの全てと当該各チャンネルの音声情報の出力先との関係を示す、予め設定された複数のスピーカの組み合わせ配置を示す単一の情報から構成されるサラウンドモード情報を含む付加情報を生成する工程と、
前記多重信号と前記付加情報を情報記録媒体に記録する記録工程と、からなることを特徴とする情報記録方法。
【請求項１３】
請求項１２に記載の情報記録方法において、
前記複数のチャンネルは１つの音声信号ストリームから構成されていることを特徴とする情報記録方法。
【請求項１４】
請求項１３に記載の情報記録方法において、
前記音声信号ストリームは最大でチャンネル番号０からチャンネル番号７の八つの前記チャンネルで構成されていることを特徴とする情報記録方法。
【請求項１５】
請求項１２ないし１４のいずれか１に記載の情報記録方法において、
前記予め設定された組み合わせ配置を示す情報がオーディオコーディングモードに基づいて変化する情報であることを特徴とする情報記録方法。
【請求項１６】
請求項１２ないし１５のいずれか１に記載の情報記録方法において、
前記サラウンドモード情報は、所定数のビット数で表されることを特徴とする情報記録方法。
【請求項１７】
請求項１２ないし１６のいずれか１に記載の情報記録方法において、
前記付加情報は、前記音声情報全体に係る管理情報であることを特徴とする情記録方法。
【請求項１８】
請求項１２ないし１６のいずれか１に記載の情報記録方法において、
前記音声情報は複数のセルから構成され、
複数の当該セルを論理的に組み合わせることによりプログラムが構成され、
前記付加情報は、前記プログラムを再生するためのコントロールデータを含み、
前記サラウンドモード情報は前記コントロールデータに含まれていることを特徴とする情報記録方法。
【請求項１９】
請求項１８に記載の情報記録方法において、
前記音声情報と前記コントロールデータとによりタイトルセットが構成されることを特徴とする情報記録方法。
【請求項２０】
請求項１２から１９のいずれか一項に記載の情報記録方法において、
前記情報記録媒体はスタンパディスクであることを特徴とする情報記録方法。
【請求項２１】
請求項２０に記載の情報記録方法において、
前記スタンパディスクを用いてレプリカディスクを製造するレプリケーション手段を更に備えたことを特徴とする情報記録方法。
【請求項２２】
請求項２１に記載の情報記録方法により製造されたレプリカディスク。
【請求項２３】
複数のチャンネルの音声情報と、前記複数のチャンネルの全てと当該各チャンネルの音声情報の出力先との関係を示す、予め設定された複数のスピーカの組み合わせ配置を示す単一の情報から構成されるサラウンドモード情報が記録された情報記録媒体から情報を再生する情報再生装置であって、
前記情報記録媒体から前記情報を読取る読取手段と、
前記音声情報を復調する音声復調手段と、
前記音声復調手段を制御する制御手段と、
を備えたことを特徴とする情報再生装置。
【請求項２４】
請求項２３に記載の情報再生装置において、
前記制御手段は、前記サラウンドモード情報に基づいて前記音声復調手段を制御することを特徴とする情報再生装置。
【請求項２５】
請求項２３または２４に記載の情報再生装置において、
前記複数のチャンネルは１つの音声信号ストリームから構成されていることを特徴とする情報再生装置。
【請求項２６】
請求項２５に記載の情報再生装置において、
前記音声信号ストリームは最大でチャンネル番号０からチャンネル番号７の八つの前記チャンネルで構成されていることを特徴とする情報再生装置。
【請求項２７】
請求項２３ないし２６のいずれか１に記載の情報再生装置において、
前記予め設定された組み合わせ配置を示す情報がオーディオコーディングモードに基づいて変化する情報であることを特徴とする情報再生装置。
【請求項２８】
請求項２３ないし２７のいずれか１に記載の情報再生装置において、
前記サラウンドモード情報は、所定数のビット数で表されることを特徴とする情報再生装置。
【請求項２９】
請求項２３ないし２８のいずれか１に記載の情報再生装置において、
前記サラウンドモード情報は前記音声情報全体に係る管理情報に含まれていることを特徴とする情報再生装置。
【請求項３０】
請求項２３ないし２８のいずれか１に記載の情報再生装置において、
前記音声情報は複数のセルから構成され、
複数のセルを論理的に組み合わせることによりプログラムが構成され、
前記サラウンドモード情報は、前記プログラムを再生するためのコントロールデータに含まれていることを特徴とする情報再生装置。
【請求項３１】
請求項３０に記載の情報再生装置において、
前記音声情報と前記コントロールデータとによりタイトルセットが構成されることを特徴とする情報再生装置。
【請求項３２】
複数のチャンネルの音声情報と、前記複数のチャンネルの全てと当該各チャンネルの音声情報の出力先との関係を示す、予め設定された複数のスピーカの組み合わせ配置を示す単一の情報から構成されるサラウンドモード情報が記録された情報記録媒体から情報を再生する情報再生方法であって、
前記情報記録媒体から前記情報を読取る読取工程と、
前記音声情報を復調する音声復調工程と、
前記音声復調手段を制御する制御工程と、
を備えたことを特徴とする情報再生方法。
【請求項３３】
請求項３２に記載の情報再生方法において、
前記制御工程は、前記サラウンドモード情報に基づいて前記音声復調工程を制御することを特徴とする情報再生方法。
【請求項３４】
請求項３２または３３に記載の情報再生方法において、
前記複数のチャンネルは１つの音声信号ストリームから構成されていることを特徴とする情報再生方法。
【請求項３５】
請求項３４に記載の情報再生方法において、
前記音声信号ストリームは最大でチャンネル番号０からチャンネル番号７の八つの前記チャンネルで構成されていることを特徴とする情報再生方法。
【請求項３６】
請求項３２ないし３５のいずれか１に記載の情報再生方法において、
前記予め設定された組み合わせ配置を示す情報がオーディオコーディングモードに基づいて変化する情報であることを特徴とする情報再生方法。
【請求項３７】
請求項３２ないし３５のいずれか１に記載の情報再生方法において、
前記サラウンドモード情報は、所定数のビット数で表されることを特徴とする情報再生方法。
【請求項３８】
請求項３２ないし３７のいずれか１に記載の情報再生方法において、
前記サラウンドモード情報は、前記音声情報全体に係る管理情報に含まれていることを特徴とする情報再生方法。
【請求項３９】
請求項３２ないし３７のいずれか１に記載の情報再生方法において、
前記音声情報は複数のセルから構成され、
複数の当該セルを論理的に組み合わせることによりプログラムが構成され、
前記サラウンドモード情報は、前記プログラムを再生するためのコントロールデータに含まれていることを特徴とする情報再生方法。
【請求項４０】
請求項３９に記載の情報再生方法において、
前記音声情報と前記コントロールデータとによりタイトルセットが構成されることを特徴とする情報再生方法。
【請求項４１】
複数のチャンネルの音声情報と、
前記複数のチャンネルの全てと当該各チャンネルの音声情報の出力先との関係を示す、予め設定された複数のスピーカの組み合わせ配置を示す単一の情報から構成されるサラウンドモード情報が記録される情報記録媒体であって、
最内周部に形成されたリードインエリアと、
最外周部に形成されたリードアウトエリアと、を有し、
前記リードインエリアと前記リードアウトエリアとの間に、前記音声情報が複数のタイトルセットに分割されており、
前記タイトルセットは、前記サラウンドモード情報を含むコントロールデータをその先頭に有することを特徴とする情報記録媒体。
【請求項４２】
請求項４１に記載の情報記録媒体において、
前記複数のチャンネルは１つの音声信号ストリームから構成されていることを特徴とする情報記録媒体。
【請求項４３】
請求項４２に記載の情報記録媒体において、
前記音声信号ストリームは最大でチャンネル番号０からチャンネル番号７の八つの前記チャンネルで構成されていることを特徴とする情報記録媒体。
【請求項４４】
請求項４１ないし４３のいずれか１に記載の情報記録媒体において、
前記予め設定された組み合わせ配置を示す情報がオーディオコーディングモードに基づいて変化する情報であることを特徴とする情報記録媒体。
【請求項４５】
請求項４１ないし４４のいずれか１に記載の情報記録媒体において、
前記サラウンドモード情報は、所定数のビット数で表されることを特徴とする情報記録媒体。
【請求項４６】
複数のチャンネルの音声情報を含む多重信号と、前記複数のチャンネルの全てと当該各チャンネルの音声情報の出力先との関係を示す、予め設定された複数のスピーカの組み合わせ配置を示す単一の情報から構成されるサラウンドモード情報を含む付加情報と、が記録された情報記録媒体から情報を再生する情報再生装置であって、
前記情報記録媒体から前記情報を読取る読取手段と、
前記読取手段によって読み出された多重信号を再生する再生手段と、
前記読取手段によって読み出されたサラウンド情報に基づいて各チャンネルの音声信号の出力先を決定する決定手段と、
を備えたことを特徴とする情報再生装置。
【請求項４７】
請求項４６に記載の情報再生装置において、
前記複数のチャンネルは１つの音声信号ストリームから構成されていることを特徴とする情報再生装置。
【請求項４８】
請求項４６または４７に記載の情報再生装置において、
前記予め設定された組み合わせ配置を示す情報がオーディオコーディングモードに基づいて変化する情報であることを特徴とする情報再生装置。
【発明の詳細な説明】
【０００１】
【発明の属する技術分野】
本発明は、ＤＶＤに代表される音声、映像等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【０００２】
【従来の技術】
音声、映像等の情報が記録された光ディスクとしては、いわゆるＣＤ（Compact Disk）、ＬＤ（Laser Disk）等が広く一般化している。
【０００３】
これらのＬＤ等では、複数チャンネルの音声情報を記録でき、例えば、１ｃｈ（チャンネル）のモノラル音声の他に２ｃｈのステレオ音声を記録し同時に再生できることはもちろん、マルチチャンネルを利用してドルビーＡＣ３方式などのサラウンド音声を記録し同時に再生できる。このようなマルチチャンネルを利用する際には、オーディオコーディングモードと呼ばれる何種類かのスピーカの組み合わせ配置の態様を予め設定しておき、記録された音声情報がどのモードで録音されたのかを再生装置に対して示すサラウンドモード情報を音声情報と共にＬＤ等に記録することが必要になる。
【０００４】
ドルビーＡＣ３方式を例にとり、このオーディオコーディングモードについて、図３７及び図３８を用いて説明する。
【０００５】
ドルビーＡＣ３方式では、図３７の表に示すように、８つのオーディオコーディングモード（１＋１〜３／２）が設定されており、各モードを示すために３ビットのサラウンドモード情報がＬＤ等に記録される。従って、再生装置において、どのオーディオコーディングモードで再生するかは、このサラウンドモード情報（０００〜１１１）を参照することにより決定できる。図３７の表にあるように、ドルビーＡＣ３方式では、部屋の中に配置するスピーカの数（５個）とその場所（左、右、中央、左サラウンド及び右サラウンド）が限定されており、その限定の下で８種類のオーディオコーディングモードが用意されている。従って記録用音源（ソース）を作るときには、この８種類のモード以外の組み合わせを選ぶことはできない。
【０００６】
ドルビーＡＣ３方式において限定されるスピーカの代表的配置は、例えば図３８の配置である。図３８において、部屋２００の内部において、聞手位置P0を基準として、前方に３つのスピーカとして、左スピーカSPl、中央スピーカSPc及び右スピーカSPrが配置され、後方に２つのスピーカとして、左サラウンドスピーカSPsl及び右サラウンドスピーカSPsrが配置されている。
【０００７】
このように、ドルビーＡＣ３方式に従えば、５ｃｈの範囲で実用上よく使われる８種類のスピーカの組み合わせ配置を予め用意しておくことで、３ビットのサラウンドモード情報（０００〜１１１）を用いて、複数チャンネルの音声信号を利用して聞手位置P0に立体的な音響空間を創造することができる。
【０００８】
また、これらのＣＤ等においては、音声情報や映像情報が、各ＣＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【０００９】
【発明が解決しようとする課題】
しかしながら、上述したドルビーＡＣ３方式によれば、例えば、前方１ｃｈで後方１ｃｈという組み合わせや、前方５ｃｈという組み合わせのように、５ｃｈの自由な組み合わせを指定できないという問題点がある。
【００１０】
また、上記ＣＤやＬＤにおいては、再生される音声や表示される映像について視聴者が選択枝をもち、当該視聴者がそれらを選択して視聴する等のいわゆるインタラクティブな変化に富んだ再生はできないという問題点があった。すなわち、例えば、ＬＤに記録されている外国映画を視聴する場合に、音声を選択して（例えば、英語音声と、これを吹き替えた日本語音声とのいずれかを選択して）出力させたり、画面に表示されている字幕で用いられている言語を選択して（例えば、日本語の字幕と原語の字幕とのいずれかを選択して）表示させたりすることができないのである。
【００１１】
一方、現在、上記従来のＣＤに対して、光ディスク自体の大きさを変えずに記憶容量を約１０倍に向上させた光ディスクであるＤＶＤについての提案や開発が盛んである。本願発明者らの知識によれば、このように大容量のＤＶＤでは、複数の音声信号ストリームを記録することができ、しかも各音声信号ストリーム当たり最大で８チャンネルの音声信号を記録することが可能となると考えられる。しかるに、ここで例えば、８チャンネルの音声信号を記録するとすれば、考えられる前述のサラウンドモードは膨大な数となり、更に、実用上よく使用されるスピーカの組み合わせ配置を考えただけでも、かなりの数にのぼってしまう。このため、従来の図３７の表に示したドルビーＡＣ３方式のように３ビットの情報によっては、実用上使用されるスピーカの組み合わせ配置を指定できなくなると考えられる。しかも、単純に指定できるスピーカの組み合わせ配置の数を増やしたのでは、用意すべき組み合わせの数が膨大となってしまい、各チャンネルがどのスピーカに対応するかを指定するサラウンドモード情報は、逆に分かりにくく取り扱いが煩雑なものとなることも予想される。更に、このように従来からＣＤ等に用いられるドルビーＡＣ３方式等のマルチサラウンド方式を、多チャンネル（最大８チャンネル）でマルチストリーム（最大８ストリーム）のＤＶＤ上の音声情報に対して応用する際の問題点自体が当業者の間で認識されていないのが現状である。
【００１２】
そこで、本発明の課題は、複数チャンネルで複数ストリームの音声情報が記録される情報記録媒体において、多種多様に富んだマルチサラウンド用のスピーカの組み合わせ配置を比較的簡単に指定可能とする情報記録媒体、並びに該情報記録媒体に情報を記録するための情報記録装置及び該情報記録媒体から情報を再生するための情報再生装置を提供することにある。
【００１３】
【課題を解決するための手段】
上記の課題を解決するために、請求項１に記載の発明は、複数のチャンネルの音声情報を含む多重信号を生成する手段と、前記複数のチャンネルの全てと当該各チャンネルの音声情報の出力先との関係を示す、予め設定された複数のスピーカの組み合わせ配置を示す単一の情報から構成されるサラウンドモード情報を含む付加情報を生成する手段と、前記多重信号と前記付加情報を情報記録媒体に記録する記録手段と、により構成されている。
【００１４】
上記の課題を解決するために、請求項１２に記載の発明は、複数のチャンネルの音声情報を含む多重信号を生成する工程と、前記複数のチャンネルの全てと当該各チャンネルの音声情報の出力先との関係を示す、予め設定された複数のスピーカの組み合わせ配置を示す単一の情報から構成されるサラウンドモード情報を含む付加情報を生成する工程と、前記多重信号と前記付加情報を情報記録媒体に記録する記録工程と、により構成されている。
【００１５】
上記の課題を解決するために、請求項２３に記載の発明は、複数のチャンネルの音声情報と、前記複数のチャンネルの全てと当該各チャンネルの音声情報の出力先との関係を示す、予め設定された複数のスピーカの組み合わせ配置を示す単一の情報から構成されるサラウンドモード情報が記録された情報記録媒体から情報を再生する情報再生装置であって、前記情報記録媒体から前記情報を読取る読取手段と、前記音声情報を復調する音声復調手段と、前記音声復調手段を制御する制御手段と、を備える。
【００１６】
上記の課題を解決するために、請求項３２に記載の発明は、複数のチャンネルの音声情報と、前記複数のチャンネルの全てと当該各チャンネルの音声情報の出力先との関係を示す、予め設定された複数のスピーカの組み合わせ配置を示す単一の情報から構成されるサラウンドモード情報が記録された情報記録媒体から情報を再生する情報再生方法であって、前記情報記録媒体から前記情報を読取る読取工程と、前記音声情報を復調する音声復調工程と、前記音声復調手段を制御する制御工程と、を備える。
【００１７】
上記の課題を解決するために、請求項４１に記載の発明は、複数のチャンネルの音声情報と、前記複数のチャンネルの全てと当該各チャンネルの音声情報の出力先との関係を示す、予め設定された複数のスピーカの組み合わせ配置を示す単一の情報から構成されるサラウンドモード情報が記録される情報記録媒体であって、最内周部に形成されたリードインエリアと、最外周部に形成されたリードアウトエリアと、を有し、前記リードインエリアと前記リードアウトエリアとの間に、前記音声情報が複数のタイトルセットに分割されており、前記タイトルセットは、前記サラウンドモード情報を含むコントロールデータをその先頭に有するように構成される。
上記の課題を解決するために、請求項４６に記載の発明は、複数のチャンネルの音声情報を含む多重信号と、前記複数のチャンネルの全てと当該各チャンネルの音声情報の出力先との関係を示す、予め設定された複数のスピーカの組み合わせ配置を示す単一の情報から構成されるサラウンドモード情報を含む付加情報と、が記録された情報記録媒体から情報を再生する情報再生装置であって、前記情報記録媒体から前記情報を読取る読取手段と、前記読取手段によって読み出された多重信号を再生する再生手段と、前記読取手段によって読み出されたサラウンド情報に基づいて各チャンネルの音声信号の出力先を決定する決定手段と、を備える。
【００１８】
【発明の実施の形態】
次に、本発明に好適な実施の形態について説明する。なお、以下に説明する実施の形態は、上記ＤＶＤに対して本発明を適用した実施の形態について説明するものである。
【００１９】
（Ｉ）情報記録媒体の実施の形態
始めに、本発明が適用された情報記録媒体の実施の一形態であるＤＶＤの物理的及び論理的な構成並びにその動作について、図１から図６を用いて説明する。
【００２０】
始めに、映像情報及び音声情報のＤＶＤ上における記録フォーマット（物理的記録フォーマット）について、図１を用いて説明する。
【００２１】
図１に示すように、実施の形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ３（ＶＴＳ＃１乃至ＶＴＳ＃ｎ）に分割されて記憶されている。ここで、ＶＴＳ（Video Title Set）とは、関連する（音声、サブピクチャのストリーム数や仕様、対応言語などの属性が同じ）タイトル（映画等の、製作者が視聴者に提示しようとする一つの作品）を一まとめにしたセット（まとまり）であり、より具体的には、例えば、一本の同じ映画について、異なる言語のセリフ等を有する複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録される。
【００２２】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００２３】
ＶＴＳ３の先頭に記録されるコントロールデータ１１には、複数のセル（セルについては後述する。）を組合わせた論理的区分であるプログラムチェーンに関する種々の情報であるＰＧＣＩ（Program Chain Information）等の情報が記録される。また、各ＶＯＢ１０には、制御情報の他に映像情報及び音声情報の実体部分（制御情報以外の映像又は音声そのもの）が記録されている。
【００２４】
更に、一のＶＯＢ１０は、夫々にＩＤ番号を有する複数のセル２０により構成されている。ここで、一のＶＯＢ１０は、複数のセル２０により完結するように構成されており、一のセル２０が二のＶＯＢ１０に跨がることはない。
【００２５】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）の夫々を含む情報単位である。
【００２６】
そして、一のＶＯＢユニット３０は、ナビパック４１と、映像情報片としてのビデオデータが記録されたビデオパック４２と、音声情報片としてのオーディオデータが記録されたオーディオパック４３と、副映像情報片としてのサブピクチャデータが記録されたサブピクチャパック４４とにより構成されている。ここで、ビデオパック４２には、映像情報の含まれるパケットがそのヘッダなどの付加情報と共に記録され、オーディオパック４３には、音声情報の含まれるパケットがそのヘッダなどの付加情報と共に記録される。また、サブピクチャパック４４には、副映像情報としての文字や図形等のグラフィックデータの含まれるパケットがそのヘッダなどの付加情報と共に記録される。図１に示すようにデータ量の多いビデオパック４２は、一つのＶＯＢユニット３０の内部で一又は複数のＧＯＰとして記録されており、各ビデオパック４２間にオーディオパック４３及びサブピクチャパック４４が配置されている。
【００２７】
なお、ＤＶＤ１に記録可能な音声は８種類であり、記録可能な副映像の種類は３２種類であることが規格上定められている。更に、一つのＶＯＢＵ３０においてナビパック４１は、必ず存在するが、ビデオパック４２、オーディオパック４３及びサブピクチャパック４４の夫々は、必ずしも存在しなくてもよく、存在する場合も、その数や順序は自由である。
【００２８】
最後に、ナビパック４１は、表示させたい映像や音声等を検索するための検索情報（具体的には、当該表示させたい映像や音声等が記録されているＤＶＤ１上のアドレス等）を含むＤＳＩ（Data Search Information）パケット５１と、ＤＳＩパケット５１の情報に基づいて検索してきた映像を表示したり音声を発生させたりする際の表示制御に関する情報を含むＰＣＩ（Presentation Control Information）パケット５０とにより構成され、更に、ビデオパック４２の含むビデオデータは、１個以上のＧＯＰ（Group Of Picture）により構成されている。なお、ＰＣＩパケット５０には、視聴者によって選択される選択項目に対して、その項目が選択されたときの表示や動作を定義したハイライト情報が含まれている。ハイライト情報によって、例えば、視聴者が選択すべき項目を表示した画面（いわゆるメニュー画面）における選択された項目に対する画面表示の変化や変化すべき表示位置及び選択した項目に対応するコマンド（選択された項目に対応して実行される命令）の設定が行われる。
【００２９】
ここで、メニュー画面を構成して表示するために必要な、枠、選択ボタン等を構成して表示するための映像情報は、上記の副映像情報であるサブピクチャデータとしてサブピクチャパック４４に記録される。
【００３０】
更に、上記ＧＯＰは、本実施の形態におけるＤＶＤ１に映像情報を記録する際に採用されている画像圧縮方式であるＭＰＥＧ２（Moving Picture Experts Group ２）方式の規格において定められている単独で再生可能な最小の画像単位である。
【００３１】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００３２】
このように、本実施の形態で採用するＭＰＥＧ２方式においては、夫々のＧＯＰ５２に含まれるデータ量が一定でない可変レート方式を採用している。
【００３３】
以上説明した図１に示す階層構造の記録フォーマットにおいて、夫々の区分は、製作者がその意図に応じて自在に区分設定をして記録させることができる。これらの区分毎に後述の論理構造に基づいて再生することにより、変化に富んだ種々の再生が可能となるのである。
【００３４】
次に、図１に示す物理的な区分により記録された情報を組合わせた論理的フォーマット（論理構造）について図２を用いて説明する。なお、図２に示す論理構造は、その構造で実際にＤＶＤ１上に情報が記録されているのではなく、図２に示す論理構造で図１に示す各データ（特にセル２０）を組合わせて再生するための情報（アクセス情報又は時間情報等）がＤＶＤ１上の、特にコントロールデータ１１の中に記録されているものである。
【００３５】
説明の明確化のために、図２の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが、区分を識別してコマンドによってアクセスできる最小の論理的単位でもある。なお、このプログラム６０を一個以上まとめたものを、視聴者が自由に選択して視聴することができる最小単位として製作者が定義することもでき、この単位をＰＴＴ（Part Of Title）という。
【００３６】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを行うことも可能となっている。
【００３７】
ここで、一のセル２０の番号については、当該セル２０を図１に示す物理フォーマットにおいて取り扱う際にはセルＩＤ番号として扱われ（図１中、セルＩＤ＃と示す。）、図２に示す論理フォーマットにおいて取り扱う際には、後に述べるＰＧＣＩ中の記述順にセル番号として扱われる。
【００３８】
次に、複数のプログラム６０を組合わせて一のＰＧＣ（Program Chain）６１が製作者の意図に基づいて論理上構成される。このＰＧＣ６１の単位で、前述したＰＧＣＩ（Program Chain Information）が定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［本実施の形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つ或いはループ再生とランダム再生又はシャッフル再生の組み合わせによる再生方法をＰＧＣ６１毎に製作者が選択して再生させるようにすることができる。］及び各種コマンド（ＰＧＣ６１又はセル２０毎に製作者が指定可能なコマンド）が含まれている。なお、ＰＧＣＩのＤＶＤ１上の記録位置は、上述の通り、コントロールデータ１１内であるか又はビデオマネージャ２内のメニューに関するＰＧＣＩであればビデオマネージャ２内のコントロールデータ（図示せず）内である（図１参照）。
【００３９】
また、一のＰＧＣ６１には、上記ＰＧＣＩの他に、実体的な映像及び音声等のデータがプログラム６０の組合わせとして（換言すれば、セル２０の組合わせとして）含まれることとなる。
【００４０】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記録トラック上で記憶されている順番にセル２０を再生する方法（記録トラック上で連続配置されたセルの再生）の他に、ＤＶＤ１に記憶されている順序に関係なく再生する（例えば、記録トラック上で後に記録されているセル２０を先に再生する等）方法（非連続配置セルの再生）を製作者が選択することができる。
【００４１】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００４２】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図２に示す一のＶＴＳ６３に相当する情報は、図１に示す一のＶＴＳ３に含まれている情報に対応している。すなわち、ＤＶＤ１には、図２に示す論理上のＶＴＳ６３内に含まれる全ての情報が一のＶＴＳ３として記録されていることとなる。
【００４３】
以上説明した論理フォーマットに基づいて、ＤＶＤ１上の物理構造において区分された情報を製作者が指定することにより、視聴者が見るべき映像（映画等）が形成されるのである。
【００４４】
なお、図１に示す物理構造の説明においては、内容の理解の容易化のため、複数のセル２０がＩＤ番号の順に記録されているとして説明したが、実施の形態のＤＶＤ１においては、実際には、一のセル２０が図−に示す複数のインターリーブドユニットＩＵに分割されて記録される場合がある。
【００４５】
すなわち、例えば図３に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に分離して記録されていると、例えば、ＰＧＣ６１Ａの場合には、ＩＤ番号２のセル２０のＤＶＤ１上の記録位置からＩＤ番号４のセル２０ＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００４６】
そこで、図３に示す場合には、ＩＤ番号２のセル２０とＩＤ番号３のセル２０を、上記トラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００４７】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【００４８】
なお、上記インターリーブドユニットＩＵは、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００４９】
次に、上記の物理構造及び論理構造のうち、特に本発明に係るサラウンド制御に関する構造ついて図４から図１１を参照して詳細に説明する。
【００５０】
（ｉ）第１のサラウンド制御の形態
本実施の形態では、予め部屋の中において指定できるスピーカの位置を所定の種類に限定する。
【００５１】
この条件下で、チャンネル毎に、そのチャンネルに記録された信号がどの位置にあるスピーカから出力されるのかを指定するサラウンド制御情報が、図１に示したリードインエリアＬＩ、ビデオマネージャ２、各ＶＴＳ３のコントロールデータ１１又は各オーディオパケットの制御情報の中に記述される。また、複数のチャンネルに対して、同じ位置のスピーカが指定される際には、チャンネル番号が小さいものから順により外側（聞手位置からより離れた側）に配置されたスピーカに対応するという規約をサラウンド制御情報に対して設ける。そして、記録装置及び再生装置において、この規約に従って、サラウンド制御情報を記録し、再生すれば、チャンネル番号の大小をスピーカ配置を示す一つの情報として、有効に利用できる。即ち、複数のチャンネルが同一配置のスピーカを指定しても問題ないだけでなく、この場合にもスピーカの位置の指定は作製者の意図に従って行われる。
【００５２】
本実施の形態では、例えば、指定可能なスピーカの配置は図４に示す１５通りであるとする。従って、１５通りのうちいずれか一つのスピーカ位置を示すためのデータとして、各チャンネル当たり、４ビットの情報が必要となる。
【００５３】
図４において指定可能な位置にあるスピーカは、部屋２００の内部で聞手位置P0を基準として、前方の床の上に配置される左グランドフロントスピーカSPgfl、右グランドフロントスピーカSPgfr及び中央グランドフロントスピーカSPgfcがあり、前方の頭上に配置される左トップフロントスピーカSPtfl、右トップフロントスピーカSPtfr及び中央トップフロントスピーカSPtfcがあり、後方の床の上に配置される左グランドリアスピーカSPgrl、右グランドリアスピーカSPgrr及び中央グランドリアスピーカSPgrcがあり、後方の頭上に配置される左トップリアスピーカSPtrl、右トップリアスピーカSPtrr及び中央トップリアスピーカSPtrcがあり、左及び右側の壁に夫々配置される左サイドスピーカSPsl及び右サイドスピーカSPsrがあり、天井中央に配置される頭上中央スピーカSPtmがある。
【００５４】
サラウンド制御情報としては、例えば、図５に示したサラウンド制御情報が構築されている。この例では、当該サラウンド記録にかかる音声信号ストリームは、８チャンネルの音声信号から構成されているものとする。
【００５５】
図５において、サラウンド制御情報３００は、６４ビットの情報からなり、１バイト毎に一つのチャンネルについて以下のように所定のデータが記述されている。
【００５６】
先ず、ビットｂ６３〜ｂ５６の１バイトのデータ部分において、ビットｂ６３には、空き領域としてデータ「０」が書込まれており、ビットｂ６２には、ｃｈ０の音声信号がマルチチャンネルの音声信号にダウンミックスされた旨を示すACH0モードデータ３０１ａが記述されており、ビットｂ６１及びビットｂ６０には、当該１バイトのデータが音声ｃｈ０の組み合わせモードにかかることを示すACH0ミックスモードデータ３０２ａが記述されており、これに続くビットｂ５９〜ｂ５６の４ビットに、この音声ｃｈ０の音声信号が出力されるべきスピーカの配置を示す音声チャンネル内容データ３０３ａが記述されている。
【００５７】
ビットｂ５５〜ｂ４８の１バイトのデータ部分において、ビットｂ５５には、空き領域としてデータ「０」が書込まれており、ビットｂ５４には、ｃｈ１の音声信号がマルチチャンネルの音声信号にダウンミックスされたことを示すACH1モードデータ３０１ｂが記述されており、ビットｂ５３及びビットｂ５２には、当該１バイトのデータが音声ｃｈ１の組み合わせモードにかかることを示すACH1ミックスモードデータ３０２ｂが記述されており、これに続くビットｂ５１〜ｂ４８の４ビットに、この音声ｃｈ１の音声信号が出力されるべきスピーカの配置を示す音声チャンネル内容データ３０３ｂが記述されている。
【００５８】
ビットｂ４７〜ｂ４０の１バイトのデータ部分において、ビットｂ４７及びｂ４６には、マルチチャンネルの音声信号の組み合わせ特性を示す組み合わせパラメータデータ３０４ｃが記述されており、ビットｂ４５及びｂ４４には、当該１バイトのデータが音声ｃｈ２の組み合わせモードにかかることを示すACH2ミックスモードデータ３０２ｃが記述されており、これに続くビットｂ４３〜ｂ４０の４ビットに、この音声ｃｈ２の音声信号が出力されるべきスピーカの配置を示す音声チャンネル内容データ３０３ｃが記述されている。
【００５９】
ビットｂ３９〜ｂ３２からなる１バイトのデータ部分、ビットｂ３１〜ｂ２４からなる１バイトのデータ部分、ビットｂ２３〜ｂ１６からなる１バイトのデータ部分、ビットｂ１５〜ビットｂ８からなる１バイトのデータ部分及びビットｂ７〜ｂ０からなる１バイトのデータ部分も夫々、上述したビットｂ４７〜ｂ４０の１バイトのデータ部分と同様に、チャンネル３〜７に夫々かかる組み合わせパラメータデータ、ACHn（ｎ＝３〜７）ミックスデータ、及び音声チャンネル内容データが記述されている。この音声チャンネル内容データ３０３として記録される４ビットと出力指定スピーカ位置の関係は、図５に示す関係になっている。
【００６０】
例えば、図５の表に示した音声チャンネル内容データ３０３（３０３ａ、３０３ｂ、３０３ｃ、…）には、図６に示したようにｃｈ０〜ｃｈ５にバイナリーデータ００００〜１１００が夫々記述され、これらのバイナリーデータ００００〜１１００に対し予め対応付けられた図４に示したスピーカの配置のうちのいずれかが、当該バイナリーデータ００００〜１１００の値により夫々示される。
【００６１】
尚、図６の表に示した例では、当該サラウンド記録にかかる音声信号のストリームは、６つのチャンネルの音声信号から構成されており（２つのチャンネルは使用されておらず）、チャンネルの割り当てはｃｈ０〜ｃｈ５の６チャンネルとされている。この場合、ｃｈ６及びｃｈ７に関するサラウンド制御情報３００には、図示しない音声属性情報に、ｃｈ６及びｃｈ７については使用されない旨が記述されるため、ｃｈ６及びｃｈ７についての音声チャンネル内容データについては無効とされる。
【００６２】
図６に示した音声チャンネル内容データ３０３により示されるスピーカ配置と各チャンネルの関係を図７に示す。
【００６３】
図７では、部屋２００の内部において、聞手位置P0を基準として、前方の床の上に配置される５つのスピーカとして、ｃｈ０に対応する左グランドフロントスピーカSPgfl＃１、ｃｈ１に対応する右グランドフロントスピーカSPgfr＃１、ｃｈ２に対応する中央グランドフロントスピーカSPgfc、ｃｈ３に対応する左グランドフロントスピーカSPgfl＃２、及びｃｈ４に対応する右グランドフロントスピーカSPgfr＃２、並びに、後方の頭上に配置される一つのスピーカとして、ｃｈ５に対応する中央トップリアスピーカSPtrcが配置されている。
【００６４】
ここで特に図６の表から分かるように、音声チャンネル内容情報のデータ上では、左及び右のグランドフロントスピーカについて、＃１と＃２について区別されていないが、このように複数のチャンネルにより同一のスピーカが指定された場合には、チャンネル番号が小さいものを外側に配置するとの規約に従って当該サラウンド制御情報が記述されているため、上記＃１と＃２とを、「チャンネル番号の大小」を一つの情報として扱うことで明確に区別できている。
【００６５】
また例えば、図５に示した音声チャンネル内容データ３０３（３０３ａ、３０３ｂ、３０３ｃ、…）には、図８に示したようにｃｈ０〜ｃｈ６にバイナリーデータ００００〜１１１１が夫々記述され、これらのバイナリーデータ００００〜１１１１に対し予め対応付けられた図４に示したスピーカの配置のうちのいずれかが、当該バイナリーデータ００００〜１１１１の値により夫々示される。
【００６６】
図８に示した音声チャンネル内容データ３０３により示されるスピーカ配置と各チャンネルの関係を図９に示す。図９では、部屋２００の内部において、聞手位置P0を基準として、前方の床の上に配置される７つのスピーカとして、ｃｈ０に対応する左グランドフロントスピーカSPgfl＃１、ｃｈ１に対応する右グランドフロントスピーカSPgfr＃１、ｃｈ２に対応する左グランドフロントスピーカSPgfl＃２、ｃｈ３に対応する右グランドフロントスピーカSPgfr＃２、ｃｈ４に対応する左グランドフロントスピーカSPgfl＃３、ｃｈ５に対応する右グランドフロントスピーカSPgfr＃３、及びｃｈ６に対応する中央グランドフロントスピーカSPgfcが配置されている。
【００６７】
ここで特に図８の表から分かるように、音声チャンネル内容情報のデータ上では、左及び右のグランドフロントスピーカについて、＃１と＃２と＃３とについて区別されていないが、前述のようにチャンネル番号が小さいものを外側に配置するとの規約に従って、＃１と＃２と＃３をデータ上明確に区別できる。
【００６８】
以上のように第１のサラウンド制御の形態によれば、予め部屋の中において指定できるスピーカの位置を所定の種類（例えば、図４に示した１５種類）に限定することにより、各チャンネル当たり４ビットの情報（即ち、サラウンド制御情報中の音声チャンネル内容データ）により、即ち、一つの音声信号ストリーム当たり３２ビットの情報により、余すところなく各チャンネルの音声信号が出力されるべきスピーカの位置を指定することができる。しかも、複数のチャンネルが同じ位置のスピーカを指定している場合に、ｃｈ番号が小さいものから順により外側に配置されたスピーカに対応するという規約をこの４ビットの情報に対して設けたので、この場合にも確実に各スピーカの配置を指定できる。
【００６９】
尚、本実施の形態において、図４に示した１５種類の位置に加えてスーパーウーハー（超低音）用のスピーカの配置（再生装置のアンプ位置又は位置指定のない任意配置）を１６種類目の位置としてもよい。更に、複数のチャンネルが同じ位置のスピーカを指定している場合に、ｃｈ番号が大きいものから順により外側（聞手位置からより離れた側）に配置されたスピーカに対応するという、ｃｈ番号の大小を逆にした規約を設けてもよい。このように逆にしても、記録装置及び再生装置の双方でこの規約にしたがって、データを記録し再生する限り同様の効果が得られる。
【００７０】
以上詳細に説明したように、本実施の形態は、チャンネル数が多く、自由にスピーカ配置を指定したい場合には、有利である。例えば、図４に示した１５種類のスピーカ配置の場合には、最大で「１５（配置数）の８（チャンネル数）乗」通りのスピーカの組み合わせ配置を指定できる。
【００７１】
（ii）第２のサラウンド制御の形態
本実施の形態では、予め実用上良く使用されるスピーカの組み合わせ配置の態様が、オーディオコーディングモードとして設定される。そして、このオーディオコーディングモードを示すサラウンドモード情報が、図１に示したリードインエリアＬＩ、ビデオマネージャ２又は各ＶＴＳのコントロールデータ１１の中に記述される。
【００７２】
例えば、図１０の表に示すように、このサラウンドモード情報４００は４ビットからなり、１６つのオーディオコーディングモード（１＋１〜４／４）をバイナリー値００００〜１１１１で示している。そして、前述した従来のドルビーＡＣ３方式の場合とは異なり、部屋の中に配置するスピーカの数やその場所が限定されていない１６種類のモードを４ビットの情報で示すことができる。従って記録用音源（ソース）を作るときには、この１６種類のモードの組み合わせから所望のモードを選ぶことができる。
【００７３】
図１０の表に示されたサラウンドモード情報の示すオーディオコーディングモードのうちモード４／４に対応するスピーカの配置を、図１１に示す。図１１において、左グランドフロントスピーカSPgfl、右グランドフロントスピーカSPgfr、左トップフロントスピーカSPtfl、右トップフロントスピーカSPtfr、左グランドリアスピーカSPgrl、右グランドリアスピーカSPgrr、左トップリアスピーカSPtrl及び右トップリアスピーカSPtrrが部屋２００に配置されている。
【００７４】
また前述した図７に示したスピーカの組み合わせ配置や図９に示したスピーカの組み合わせ配置を、実用上よく使われるスピーカの組み合わせ配置の一つとして、オーディオコーディングモード５／１や７／０として設定して、サラウンドモード情報で（例えば、１００１や１０１０など）で示すようにしてもよい。
【００７５】
以上のように本実施の形態によれば、実用上よく使われるスピーカの組み合わせ配置（例えば、１６種類）を予め用意しておくことで、比較的少ない所定数のビット（例えば、８チャンネルに対し全部で４ビット）のサラウンド制御情報（例えば、００００〜１１１１）を用いて、複数チャンネルの音声信号を利用して聞手位置に立体的な音響空間を創造することができる。
【００７６】
特に以上に説明したサラウンドモード情報により指定可能なオーディオコーディングモード（スピーカの組み合わせ配置の態様）は、チャンネル数が８チャンネル以下であれば任意である。そして、再生装置において、サウンドモード情報を再生することによりオーディオコーディングモードを判別できるようにしておく限り、どのようなモードであっても問題はない。但し、視聴者が実際に使用する可能性の無いスピーカの組み合わせ配置に対しオーディオコーディングモードを設定しても役に立たない。
【００７７】
以上のように、本実施の形態では、１６種類のオーディオコーディングモードであれば、一つの音声信号ストリームの全てのチャンネルについて４ビットの情報で示すことができ、また例えば３２種類の場合にも、５ビットの情報で示すことができ、即ち、極めて少ない情報をＤＶＤに書込むことにより、マルチサラウンドを実現できる。特にチャンネル数が少ない場合には、このように実用上よく使われるスピーカの組み合わせ配置を設定しておき、サラウンドモード情報により指定する形態は、ＤＶＤに書込む情報量が少なくて済む分有利である。
【００７８】
また、各ＶＴＳのコントロールデータ中にサラウンド制御情報やサラウンドモード情報を入れた場合には特に、ＶＴＳ毎にオーディオコーディングモードを変更することもできるので便利である。但し、リードインエリアやビデオマネージャ中にサラウンド制御情報やサラウンドモード情報を入れた場合には、ＶＴＳ毎にオーディオコーディングモードを参照する必要がなくなり処理が単純となる利点がある。
【００７９】
尚、上述したサラウンド制御情報とサラウンドモード情報とは、択一的な情報ではなく、両方の情報を記録でき、且つ両方の情報を再生できるように記録装置及び再生装置の両者を構成しておけば、ＤＶＤの作製者にとってみれば、適宜どちらかの情報を用いてサラウンド制御が可能となるので、融通性が高まる。更に、視聴者は、マルチオーディオやマルチサラウンドを簡単に楽しめるようになる。
【００８０】
なお、上記ＤＶＤは、例えば、一本の映画を記録する他に、当該映画に対応する音声や字幕について、複数種類の言語の音声や字幕をも同一の光ディスクに記録することが可能な大きな記憶容量を有しているので、上記の記録フォーマットは、特にＤＶＤ１に対して適用することが効果的である。
【００８１】
（II）情報記録装置の実施の形態
次に、上述の制御情報、映像情報及び音声情報をＤＶＤ１に記録するための情報記録装置の実施の形態について、図１２を用いて説明する。
【００８２】
始めに、図１２を用いて、実施の形態の記録装置の構成及び動作について説明する。
【００８３】
図１２に示すように、実施の形態に係る記録装置Ｓ1は、ＶＴＲ（Video Tape Recorder）７０と、メモリ７１と、信号処理部７２と、ハードディスク（ＨＤ）装置７３と、ハードディスク（ＨＤ）装置７４と、コントローラ７５と、多重器７６と、変調器７７と、マスタリング装置７８とにより構成されている。
【００８４】
次に、動作を説明する。
【００８５】
ＶＴＲ７０には、ＤＶＤ１に記録すべき音楽情報や映像情報等の素材である記録情報Ｒが一時的に記録されている。そして、ＶＴＲ７０に一時的に記録された記録情報Ｒは、信号処理部７２からの要求により当該信号処理部７２に出力される。
【００８６】
信号処理部７２は、ＶＴＲ１から出力された記録情報ＲをＡ／Ｄ変換した後、ＭＰＥＧ２方式により圧縮処理し、音楽情報と映像情報とを時間軸多重して圧縮多重信号Ｓrとして出力する。その後、出力された圧縮多重信号Ｓrは、ハードディスク装置７３に一時的に記憶される。
【００８７】
これらと並行して、メモリ７１は、上記記録情報Ｒを部分記録情報Prに予め区分し、それぞれの部分記録情報Prに関する、図５に示したサラウンド制御情報３００及びサラウンドモード情報４００などのユーザ定義情報等が記載されたキューシートＳＴに基づき予め入力された当該部分記録情報Prに関する内容情報を一時的に記憶し、信号処理部７２からの要求に基づいて内容情報信号Ｓiとして出力する。
【００８８】
そして、信号処理部７２は、ＶＴＲ７０から出力される上記記録情報Ｒに対応したタイムコードＴt及びメモリ７１から出力される内容情報信号Ｓiに基づき、タイムコードＴtを参照して上記部分記録情報Ｐrに対応するＤＳＩ情報信号Ｓdsi及びＰＣＩ情報信号Ｓpciを生成して出力し、当該ＤＳＩ情報信号Ｓdsi及びＰＣＩ情報信号Ｓpciがハードディスク装置７４に一時的に記憶される。
【００８９】
以上の処理が記録情報Ｒ全体について実行される。
【００９０】
記録情報Ｒの全てについて上記の処理が終了すると、コントローラ７５は、ハードディスク装置７３から圧縮多重信号Ｓrを読み出すとともにハードディスク装置７４からＤＳＩ情報信号Ｓdsi及びＰＣＩ情報信号Ｓpciを読み出し、これらに基づいて付加情報ＤAを生成し、ハードディスク装置７４に記憶する。これは、各種制御信号中に、圧縮多重信号Ｓrの生成結果によって内容が定まるものがあるからである。一方、コントローラ７５は、上記信号処理部７２、ハードディスク装置７３及びハードディスク装置７４の夫々の動作の時間管理を行い、当該付加情報ＤAに対応する付加情報信号Ｓaをハードディスク装置７４から読み出して出力すると共に、圧縮多重信号Ｓrと付加情報信号Ｓaを時間軸多重するための情報選択信号Ｓccを生成して出力する。
【００９１】
その後、圧縮多重信号Ｓrと付加情報信号Ｓaは、情報選択信号Ｓccに基づき、多重器７６により時間軸多重されて情報付加圧縮多重信号Ｓapとして出力される。なお、副映像情報が存在する場合には、図示されないハードディスク装置など他の手段によって、信号処理部７２に入力され、画像、音声情報と同様に処理される。
【００９２】
そして、変調器７７は、出力された情報付加圧縮多重信号Ｓapに対してリードソロモン符号等のエラー訂正コード（ＥＣＣ）の付加及び８−１６変調等の変調を施してディスク記録信号Ｓmを生成し、マスタリング装置７８に出力する。
【００９３】
最後に、マスタリング装置７８は、当該ディスク記録信号Ｓmを光ディスクを製造する際のマスタ（抜き型）となるスタンパディスクに対して記録する。そして、このスタンパディスクを用いて図示しないレプリケーション装置により、一般に市販されるレプリカディスクとしての光ディスク即ちＤＶＤが製造される。
【００９４】
次に、サラウンド制御情報及びサラウンドモード情報をマスタディスクに記録する記録装置Ｓ１の細部動作について説明する。
【００９５】
情報処理部７２は、キューシートＳＴから入力されたサラウンド制御情報及びサラウンドモード情報を示す制御情報信号Ｓiが入力されると、図１に示したディスクの内周側に位置するリードインエリアＬＩ又はビデオマネージャ２に入れるための情報信号Ｓcsとして、若しくは各ＶＴＳ３の先頭に位置するコントロールデータ１１に入れるための情報信号Ｓscとしてハードディスク装置７４に出力する。ハードディスク装置７４は、これらの制御情報Ｓscを他のＤＳＩ情報信号ＳdsiやＰＣＩ情報信号Ｓpciと共に一時的に格納する。
【００９６】
ここで、コントローラ７５により、ＤＶＤの内周側に位置するリードインエリア又はビデオマネージャの領域に入れるサラウンド制御情報３００又はサラウンドモード情報４００を選択すべき旨の情報選択信号Ｓccが出力されると、多重器７６は、付加情報信号Ｓa側にスイッチされる。そして、サラウンド制御情報３００又はサラウンドモード情報４００は、このとき多重される付加情報信号Ｓaの一部として変調器７７に入力されて、更にディスク記録信号Ｓmの一部としてマスタリング装置７８に入力される。この結果、リードインエリア又はビデオマネージャの領域箇所に、図５に示したサラウンド制御情報３００又は図１０に示したサラウンドモード情報４００が構築される。
【００９７】
若しくは、コントローラ７５により、各ＶＴＳのコントロールデータ中の所定位置に入れるサラウンド制御情報３００又はサラウンドモード情報４００を選択すべき旨の情報選択信号Ｓccが出力されると、サラウンド制御情報３００又はサラウンドモード情報４００は、このとき多重される付加情報信号Ｓaの一部として変調器７７に入力されて、更にディスク記録信号Ｓmの一部としてマスタリング装置７８に入力される。この動作は、複数のＶＴＳの夫々について行われ、各ＶＴＳのコントロールデータ中には、図５に示したサラウンド制御情報３００又は図１０に示したサラウンドモード情報４００が構築される。
【００９８】
また、サラウンド制御情報３００を記録情報Ｒと同時に記録する場合には、信号処理部７２が、ＶＴＲ７０から出力された記録情報ＲをＡ／Ｄ変換した後、圧縮等の処理をし、音声情報と映像情報とを時間軸多重して圧縮多重信号Ｓrとして出力する際、メモリ７１から出力される内容情報信号Ｓiに基づき、各オーディオパック（パケット）４３の制御情報を記録する部分にサラウンド制御情報３００を多重する。
【００９９】
以上詳細に説明したように本実施の形態の記録装置Ｓ１によれば、前述の“（Ｉ）情報記録媒体の実施の形態”で説明したＤＶＤ１のマスタディスクを作成することができる。
【０１００】
（III）情報再生装置の実施の形態
次に、上記の記録装置Ｓ1によりＤＶＤ１に記録された情報を再生するための情報再生装置の実施の形態を、図１３を用いて説明する。
【０１０１】
始めに、図１３を用いて、実施の形態の再生装置の構成及び動作について説明する。
【０１０２】
図１３に示すように、実施の形態に係る再生装置Ｓ2は、ピックアップ８０と、復調訂正部８１と、ストリームスイッチ８２及び８４と、トラックバッファ８３と、システムバッファ８５と、デマルチプレクサ８６と、ＶＢＶ（Video Buffer Verifier）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３とにより構成されている。なお、図１３に示す構成は、再生装置Ｓ2の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１０３】
次に、全体動作を説明する。
【０１０４】
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓpを出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【０１０５】
ピックアップ８０から出力された検出信号Ｓpは、復調訂正部８１に入力され、復調処理及び誤り訂正処理が行われて復調信号Ｓdmが生成され、ストリームスイッチ８２及びシステムバッファ８５に出力される。
【０１０６】
復調信号Ｓdmが入力されたストリームスイッチ８２は、ドライブコントローラ１０１からのスイッチ信号Ｓsw1によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【０１０７】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【０１０８】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2により開閉が制御される。
【０１０９】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報等（ビデオマネージャ２等）やＶＴＳ３のコントロールデータ１１を蓄積して制御情報ＳCとしてシステムコントローラ１００に出力すると共に、情報再生中に必要に応じて上記ナビパック４１毎のＤＳＩパケット５１を一時的に蓄積し、システムコントローラ１００に制御情報ＳCとして出力する。
【０１１０】
ストリームスイッチ８４を介して復調信号Ｓdmが連続的に入力されたデマルチプレクサ８６においては、当該復調信号Ｓdmから映像情報、音声情報、副映像情報及びナビパック４１毎のＰＣＩパケット５０を分離し、ビデオ信号Ｓv、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、音声情報又は副映像情報として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【０１１１】
ビデオ信号Ｓvが入力されるＶＢＶバッファ８７は、ＦＩＦＯメモリ等により構成され、ビデオ信号Ｓvを一時的に蓄積し、ビデオデコーダ８８に出力する。ＶＢＶバッファ８７は、ＭＰＥＧ２方式により圧縮されているビデオ信号Ｓvにおける各ピクチャ毎のデータ量のばらつきを補償するためのものである。そして、データ量のばらつきが補償されたビデオ信号Ｓvがビデオデコーダ８８に入力され、ＭＰＥＧ２方式により復調が行われて復調ビデオ信号Ｓvdとして混合器９１に出力される。
【０１１２】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれる副映像情報を、当該副映像情報に対応する映像情報と同期して出力するためのものである。そして、映像情報との同期が取られた副映像信号Ｓspがサブピクチャデコーダ９０に入力され、復調が行われて復調副映像信号Ｓspdとして混合器９１に出力される。
【０１１３】
なお、副映像信号Ｓspが、メニュー画面を構成して表示するために必要な、枠、選択ボタン等を構成するための映像情報を含んでいる場合には、システムコントローラ１００からのハイライト制御信号Ｓchに基づき、表示すべき選択ボタン等の表示状態の変更を行って出力する。
【０１１４】
ビデオデコーダ８８から出力された復調ビデオ信号Ｓvdサブピクチャデコーダ９０から出力された復調副映像信号Ｓspd（対応する復調ビデオ信号Ｓvdとの同期が取れている。）は、混合器９１により混合され、最終的な表示すべき映像信号Ｓvpとして図示しないＣＲＴ（Cathode Ray Tube）等の表示部に出力される。
【０１１５】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓaddとして図示しないスピーカ等に出力される。なお、アクセス直後の再生で一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓaddの出力を停止する。
【０１１６】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩパケット５０と当該ＰＣＩパケット５０が対応する映像情報、音声情報、副映像情報等とを同期させ、当該映像情報、音声情報又は副映像情報等にＰＣＩパケット５０を適用させるためのものである。そして、ＰＣＩバッファ９４により対応する映像情報、音声情報又は副映像情報等と同期したＰＣＩ信号Ｓpcは、ＰＣＩデコーダ９５によりＰＣＩパケット５０に含まれるハイライト情報が分離され、ハイライト信号Ｓhiとしてハイライトバッファ９６に出力されると共に、ＰＣＩパケット５０のハイライト情報以外の部分がＰＣＩ情報信号Ｓpciとしてシステムコントローラ１００に出力される。
【０１１７】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための映像情報が含まれている副映像信号Ｓspに対応して、ハイライト情報に対応する選択項目の表示状態の変更が正確に表示されるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhidとしてシステムコントローラ１００に出力される。ここで、システムコントローラ１００は、当該復調ハイライト信号Ｓhidに基づき、ハイライト情報による表示状態の変更を行うべく、上記のハイライト制御信号Ｓchを出力することとなる。
【０１１８】
システムコントローラ１００は、システムバッファ８５から入力される制御情報Ｓc、ＰＣＩデコーダ９５から入力されるＰＣＩ情報信号Ｓpci及びリモコン等の入力部９８から入力される入力信号Ｓinに基づき、それらの信号に対応した正しい再生を行うために上記のスイッチ信号Ｓsw2、言語選択信号Ｓlc、ポーズ信号Ｓca、ハイライト制御信号Ｓchを出力すると共に、再生装置Ｓ2の動作状況等を表示するために表示信号Ｓdpを液晶表示装置等のディスプレイ９９に出力する。
【０１１９】
更に、システムコントローラ１００は、上記制御信号Ｓc又は前述のＤＳＩデータ等により、シームレス再生のためにサーチ等のトラックジャンプの処理が必要であることを検出したときには、ドライブコントローラ１０１に対して、当該トラックジャンプの処理に対応するシームレス制御信号Ｓcslを出力する。そして、シームレス制御信号Ｓcslが入力されたドライブコントローラ１０１は、スピンドルモータ１０２又はスライダモータ１０３に対して駆動信号Ｓd を出力する。この駆動信号Ｓdにより、スピンドルモータ１０２又はスライダモータ１０３は、光ビームＢが再生すべきＤＶＤ１上の記録位置に照射されるようにピックアップ２を移動させる（図１３破線矢印参照）と共に、ＤＶＤ１の回転数をＣＬＶ（線速度一定）制御する。これと並行して、ドライブコントローラ１０１は、ピックアップ２が移動中であり復調訂正部８１から復調信号Ｓdmが出力されないときには、シームレス制御信号Ｓcslに基づきスイッチ信号Ｓsw1を出力し、ストリームスイッチ８２を開とすると共に、復調信号Ｓdmが出力され始めると、ストリームスイッチ８２を閉成して復調信号Ｓdmをトラックバッファ８３に出力する。
【０１２０】
次に、本実施の形態のサラウンド制御にかかる構成及び動作について詳しく説明する。
【０１２１】
ここでは、図５に示したサラウンド制御情報３００がリードインエリア、ビデオマネージャ、各ＶＴＳのコントロールデータ又は各オーディオパケットの制御情報の一部として再生される場合における二つの再生装置の形態について以下説明する。
【０１２２】
（ｉ）第１の再生装置の形態
本実施の形態では特に、複数の音声信号が夫々出力されるべきスピーカ位置が、音声信号の再生に先立って再生されるサラウンド制御情報３００を参照することにより、コントローラ１００により識別される。そして、このように識別された、各チャンネルが部屋の中のどこのスピーカから出力されるべきかの情報が、コントローラ１００による制御の下で、再生装置のフロントパネルに設けられたディスプレイ９９又は映像情報を再生出力するために当該再生装置Ｓ２に接続されているテレビの画面上に表示される。この表示方法は、図１４に示すような液晶表示装置等からなるディスプレイ９９の画面９９ａ上における文字による表示でもよく、または図１５に示すような再生装置Ｓ２に接続されたテレビの画面１１０上におけるグラフィック表示でもよい。
【０１２３】
従って、視聴者は、この表示を見て自らのスピーカをその表示された位置に動かすことができる。即ち、視聴者は、この表示されたスピーカ配置にしたがって、必要とされる数のスピーカを用意して指定された位置に夫々配置し、そして、各チャンネルの音声信号が夫々指定されたスピーカに出力されるように配線すれば、タイトル制作者の意図したサラウンド音場を極めて正しく再現することができる。このため、この再生装置Ｓ２は、業務用や音響マニア用の再生装置として有利である。
【０１２４】
（ii）第２の再生装置の形態
上述した第１の再生装置の形態では、スピーカ配置がディスプレイやテレビ画面に表示される度に、即ち再生されるＤＶＤを変える度にスピーカを配置し直したり、配線し直したりしなければならず、通常の家庭向けの用途には不便である。逆に、一度行ったスピーカセッティングを変えることなく、前述のサラウンド制御情報により示されるスピーカ配置の相異する複数のＤＶＤから適切なサラウンド音場を再現できれば便利である。
【０１２５】
そこで、第２の形態では再生装置Ｓ２は、先ず図４に示した１５種類のスピーカ配置及びスーパーウーハー用の１種のスピーカ配置（合計１６種類の配置）のうち実際に部屋に配置されているのは、どのスピーカであるのかをコントローラ１００に対し指定できるように構成されている。この指定は、入力装置９８を介して行われる。
【０１２６】
より具体的には、例えば、この指定は、再生装置Ｓ２に接続されたテレビ又はディスプレイの表示画面上において、文字により「左グランドフロントスピーカはありますか？Ｙｅｓ／Ｎｏ？」（これに対し、Ｙｅｓにカーソル操作やキー入力により応答し）、「右グランドフロントスピーカはありますか？Ｙｅｓ／Ｎｏ？」（これに対し、Ｙｅｓにカーソル操作やキー入力により応答し）、…という質疑応答形式で、先ず各スピーカの有無が入力指定されてもよい。また例えば、ディスプレイ上に図４の如きグラフィック表示がなされ、マウス操作等により各スピーカ位置に実際にスピーカが存在する場合には“○”（及び／又は、存在しない場合には“×”）を付けることにより、各スピーカの有無が入力指定されてもよい。
【０１２７】
更に、例えば、テレビ又はディスプレイの表示画面上において、文字により「ｘ方向のスピーカまでの距離は？ｍ」（これに対し、“１．５”とテンキー入力やアップダウンキー入力して応答し）、「ｙ方向のスピーカまでの距離は？ｍ」（これに対し、“２”とテンキー入力やアップダウンキー入力して応答し）、…という質疑応答形式で、各スピーカの聞手位置に対する位置が入力指定されてよい。また例えば、聞手位置を原点として各スピーカの（ｘ、ｙ、ｚ）座標を入力することで、各スピーカの聞手位置に対する位置が入力指定されてもよい。更にまた例えば、メニュー画面上で、ルームタイプを４．５畳、６畳、８畳、１０畳、１２畳、…若しくは長方形の部屋、正方形の部屋、大きい部屋、小さい部屋等の各種の部屋のタイプ中から一つを選ぶことにより、各スピーカの聞手位置に対する位置が間接的に入力指定されてもよい。即ちこの場合、聞手位置を部屋の中心であり部屋の隅にスピーカが配置されている等と仮定して、コントローラ１００により各スピーカまでの距離が計算されて各スピーカの（ｘ、ｙ、ｚ）座標が自動的に計算される。更にまた実用上よく用いられる配置パターン（例えば、６畳間や８畳間の４隅にスピーカを４つ置いたパターンなど）を数十種類用意しておき、各配置パターンを順次表示して、その中から該当する配置パターンを選ぶようにしてもよい。
【０１２８】
また、指定された配置を示す実在スピーカ配置情報は、所定のフォーマットで、コントローラ１００に内蔵された不揮発性の記憶装置に格納され、一旦この指定を行えば、再生装置Ｓ２の電源を切っても、この実在スピーカ配置情報が失われないように構成されている。そして、この実在スピーカ配置情報は、視聴者の所望によりいつでも更新できるように構成されている。
【０１２９】
第２の形態では再生装置Ｓ２は、更に、各チャンネルの音声信号を前述の実在スピーカ配置情報及びサラウンド制御情報３００に基づいて、再生された複数チャンネルの音声信号を、実際のスピーカ配置によっても、タイトル制作者により意図されたサラウンド音場を再現すべく、実際のスピーカ配置に対応した音声信号へ変換を行うように構成されている。即ち、再生装置Ｓ２は、視聴者により指定された実際のスピーカ配置とＤＶＤから再生されたサラウンド制御情報３００により示されるスピーカ配置との相異に応じて、各チャンネルの音声信号を実際のスピーカ配置に対応した出力信号へとミックスダウンするように構成されている。
【０１３０】
次に、この再生されたサラウンド制御情報３００により指定されたスピーカ位置に対応した音声信号を実際のスピーカ配置に対応した音声信号へ変換するための構成及び動作について図１６及び図１７を参照して説明する。
【０１３１】
ここでは、図１６の左側に示すサラウンド制御情報により指定されたスピーカ配置から、右側に示す予め入力指定された実在スピーカ配置情報により示される実際のスピーカ配置に変換する場合について考える。
【０１３２】
この場合、図１７に示すように、図１３のオーディオデコーダ９３から出力された復調オーディオ信号Ｓaddは、ｃｈ０〜ｃｈ５の出力端子に出力されるが、再生装置Ｓ２は、これらの信号が入力される例えば８つのダウンミックス回路１２０ａ、１２０ｂ、１２０ｃ、１２０ｄ、…を備えている。ダウンミックス回路１２０ａは、ｃｈ０〜ｃｈ７の音声信号をダウンミックスして実在の左グランドフロントスピーカ用のｃｈ０の信号として出力する。ダウンミックス回路１２０ｂは、ｃｈ０〜ｃｈ７の音声信号をダウンミックスして実在の右グランドフロントスピーカ用のｃｈ１の信号として出力する。ダウンミックス回路１２０ｃは、ｃｈ０〜ｃｈ７の音声信号をダウンミックスして実在の左トップリアスピーカ用のｃｈ３の信号として出力する。ダウンミックス回路１２０ｄは、ｃｈ０〜ｃｈ７の音声信号をダウンミックスして実在の右トップリアスピーカ用のｃｈ４の信号として出力する。尚、この例では、実在のスピーカが４個しかないので、ここでは使用されておらず図示もされていないが、実際には８チャンネルの出力をカバーできるように８個のダウンミックス回路が再生装置Ｓ２には、備えられている。
【０１３３】
図１７において、ダウンミックス回路１２０の内部に入力チャンネル毎に設けられたアンプは、後述のように変換方式に応じて定まる値の係数Ｃｎ（ｎ＝０〜７）を夫々掛け、そのゲインを変える機能を持つ可変ゲインアンプである。さらに、各アンプは、ＤＳＰ（Digital Signal Processor）等による信号処理を行ってもよい。なお、この場合の信号処理の内容としては、位相制御、遅延時間（Td）制御、残響音付加処理等がある。
【０１３４】
次に、このダウンミックス回路による信号変換方式の具体的な例を図１８から図３６を用いて説明する。
【０１３５】
先ず、サラウンド制御情報により指定されたスピーカの位置から実在のスピーカの位置への変換する方法について説明する。
【０１３６】
この場合、第１にサラウンド制御情報により推定された各スピーカの仮想的な位置を以下のように決定する。ここに、「仮想的な位置」とは、最終的に音声信号の振り分けを決定するためのアルゴリズムの途中で仮想されるスピーカの位置をいう。
【０１３７】
即ち、視聴者が入力指定したスピーカ指定情報に示される実在するスピーカの位置から、他のスピーカの仮想的な位置を仮定する。原則として左右のグランドフロントスピーカSPgflとSPgfrとは基本的なスピーカであるので、少なくともこれら２つスピーカの位置は視聴者により必ず入力指定される（実在する）ものとする。従って各スピーカの位置指定がない場合でも、これらの２つのスピーカSPgflとSPgflの位置のみが、入力指定されている筈なので、他のスピーカの仮想的な位置は図１８のように考える。即ち、部屋２００内の聞手位置Ｐ０に対し、前後左右対称となる１５種類の位置に各スピーカを仮想的に配置する。
【０１３８】
このとき、Ｚ方向の指示がない場合、全てのスピーカが同一平面上にあるものとみなし、トップスピーカとグランドスピーカとの区別は行わない。ここでは、グランドとして扱うものとする。
【０１３９】
第２に、以上のようにして求めた各スピーカの仮想的な位置から実在のスピーカの位置への変換（即ち、音声信号の各スピーカへの振り分け）を次のように行う。
【０１４０】
即ち、先ず各チャンネル毎にサラウンド制御情報により指定されたスピーカ位置から実在する複数のスピーカまでの距離を求め、最も近い位置になる実在するスピーカの位置へ、上述のように求めた各スピーカの仮想的な位置を元に出力スピーカを変更する。即ち、各仮想的な位置にあるスピーカから出力されるべき音声信号を、実在する複数のスピーカに振り分ける。但し、このとき左右対称として扱い、更に、図１９に示すように、部屋２００の隅に位置するサラウンド制御情報に指定されたスピーカについては、Ｙ0＝Ｚ0として扱う。即ち、図２０に示すように、Ｙ0とＺ0の距離の大小にかかわらず、このような位置関係にある２つのスピーカが実在する場合には、２つのスピーカから出力するように音声信号を振り分ける。また、図２１に示すように、部屋の側壁については、L1＝L2として扱い、L1とL2の距離の大小にかかわらず、このような位置関係にある２つのスピーカ（SPgfl、SPgfr）が実在する場合には、これら２つのスピーカから出力するように音声信号を振り分ける。
【０１４１】
続いて、部屋の各スピーカを図２２のように面によってグループ化する。
【０１４２】
ここで、フロント面２０１上にある仮想的な位置にあるスピーカは、フロント面２０１上に実在するスピーカに変更しなければならないものとする。即ち、このフロント面２０１上の仮想的な位置にあるスピーカから出力されるべき音声信号を、このフロント面２０１上に実在するスピーカに振り分ける。フロント面２０１から他の面への変換は許されない。即ち、フロント面２０１が第１優先される。
【０１４３】
次に、リア面２０２上にある仮想的な位置にあるスピーカは、リア面２０２上に実在するスピーカがある場合には、その距離関係にかかわりなくリア面２０２のスピーカに変換しなければならないものとする。即ち、リア面２０２上が第２優先される。
【０１４４】
次に、トップ面２０３、グランド面２０４、左側面２０５及び右側面２０６も同様の扱いとする。ただし仮想的な位置にあるスピーカが２つの面に存在する場合（センター位置の場合）にはリア面２０２を優先させる。リア面２０２から他の面への変換は後回しにする。
【０１４５】
次に、前述のように、基本的な２つのスピーカSPgflとSPgfrは必ず存在することとしているので、各面のグループ内に実在するスピーカがなかった場合にはフロント面２０１に、そして最終的には、これら２つのスピーカSPgflとSPgfrから出力するようにする。
【０１４６】
以上の規則にしたがって行われる、各スピーカの仮想的な位置から実在のスピーカの位置への変換（即ち、音声信号の各スピーカへの振り分けの様子）を図２３から図２６に示す。
【０１４７】
図２３から図２６に示すように、サラウンド制御情報により推定されたスピーカ位置から、実在のスピーカの位置への変換が行われる。尚、これらの図中、丸数字▲１▼、▲２▼、▲３▼、…は、各ＮＯの処理の中における変換の優先順序を示している。▲１▼から▲５▼の順で変換が行われ、変換先に実在するスピーカがあった場合には、それ以降の変換を行わない。このように、上記規則に従って、仮想的なスピーカSPtfc、SPtfl、（SPgfl、）SPgfc、SPtm、SPsl、SPtrc、SPtrl、SPgrl、SPgrcから、実在するスピーカ位置への変換が行われる。なお、原則としてスピーカSPgflは、実在しなければならない。
【０１４８】
第３に、図２３から図２６に示したように求めた実在のスピーカの位置への音声信号の振り分けのレベルを次のように決定する。
【０１４９】
即ち、距離の近いものから捜していって、最も近い実在のスピーカ位置へと変換するが、この際、同じ距離の最も近い実在のスピーカがｎ個あった場合には、各実在のスピーカへ、音声信号出力をｎ等分（１／ｎをかける）にして出力するようにレベルを決定する。通常は２個以上ないので振り分けの振り分けのレベルは０．５＋０．５とする。図２７に示すように、側面の場合は、距離に応じた重みづけをする。片方のスピーカしかなければ、そのスピーカから全ての音声信号を出すようにレベルを決定する。また、図２８に示すように、部屋の各隅の場合も距離に応じた重みづけをする。片方のスピーカしかなければ、そのスピーカから全ての音声信号を出すようにレベルを決定する。即ち、変換すべきスピーカを探すときには、L1＝L2、Z0＝Y0とし、レベルを決めるときには、実際の距離に応じた重み付けをする。
【０１５０】
次に、図１７に示したダウンミックス回路における各アンプの係数Ｃn（ｎ＝０〜７）の決め方について図２９から図３３を用いて説明する。
【０１５１】
例えば、図２９に示した例では、実在のスピーカSPgflとSPgfrとが存在するが、この場合の係数Ｃ1及びＣ2方は次のように決められる。
【０１５２】
先ず、計算を簡単にするために以下のように考える
即ち、図３０に示すように、２つの左右のスピーカＬ、Ｒを聴取位置から正面に向って±３０°の位置にある場合を想定する。また、このとき、仮想スピーカを配置しようとする位置はθだけ右によった位置とする。
【０１５３】
図３１に示す、このときの両耳間の音圧差（右耳の音圧−左耳の音圧）ΔＰは、次式で表される。
【０１５４】
ΔＰ＝Ｐ｛１／（γ−ｄ／２）−１／（γ＋ｄ／２）｝
Ｐ…点０の音圧
音源からの音波は、両耳に届く頃には平面波になっており、その音圧Ｐは音源からの距離に逆比例すると考える。
【０１５５】
すると、右スピーカによる両耳間の音圧差ΔＰRは、次式で表される。
【０１５６】
ΔＰR＝ＰR｛１／（γ−ｄ／２）−１／（γ＋ｄ／２）｝
また、左スピーカによる両耳間の音圧差ΔＰLは、次式で表される。
【０１５７】
0003785154.tif 000002
従って、両スピーカによる音圧差ΔＰR+Lは、次のような式（１）で表される。
【０１５８】
ΔＰR+L＝（ＰR−ＰL）｛１／（γ−ｄ／２）−１／（γ＋ｄ／２）｝…（1）
（但し、この差の計算にはベクトルによる加算が必要だが、ここでは説明簡略化のためスカラー量として式を示す）
また、仮想スピーカＲ′による音圧差ΔＰR'は、次のような式（２）で表される。
【０１５９】
ΔＰR'＝ＰR'｛１／（γ′−ｄ′／２）−１／（γ′＋ｄ′／２）｝…（2）
ここで、Ｒ′にスピーカがあるように思わせたいのであるから、両スピーカによる両耳間の音圧差（１）を（２）に一致させれば良い。
【０１６０】
即ち、次の式が成立する。
【０１６１】
（ＰR−ＰL）｛１／（γ−ｄ／２）−１／（γ＋ｄ／２）｝
＝ＰR'｛１／（γ′−ｄ′／２）−１／（γ′＋ｄ′／２）｝
∴  （ＰR−ＰL）／ＰR
＝｛ｄ′／（γ′2−ｄ2／４）｝／｛ｄ／（γ2−ｄ2／４）｝
ここで、γとγ′は、ほぼ等しいと考えてよいので、γ＝γとし、左右のスピーカからの音圧の合成が仮想スピーカからの音圧と一致するとすると、
ＰR＋ＰL＝ＰR'
0003785154.tif 000003
∴Ｃ1−Ｃ2＝｛ｄ′／（γ2−ｄ′2／４）｝／｛ｄ／（γ2−ｄ2／４）｝
ここで、γ2》ｄ2／４＞ｄ′2／４なので
γ2−ｄ′2／４＝γ2
γ2−ｄ2／４＝γ2
と考えると、
Ｃ1−Ｃ2＝（ｄ′／γ2）／（ｄ／γ2）＝ｄ′／ｄ
となる。
【０１６２】
ここで、ｄ＝Lsin30°であるから、
ｄ′＝Lsinθ
Ｃ1−Ｃ2＝Lsinθ／Lsin30°＝sinθ／sin30°
となる。
【０１６３】
また、Ｃ1＋Ｃ2＝１であるから、
Ｃ1＝１／２（１＋sinθ／sin30°）
Ｃ2＝１／２（１−sinθ／sin30°）
となる。
【０１６４】
この様子を図３２のグラフに示す。図３２から、仮想スピーカを配置しようとする位置から夫々のスピーカＲ、Ｌまでの距離を図３３に示すように、Ｌ1、Ｌ2としたとき、夫々の係数Ｃ１、Ｃ２を
Ｃ1＝Ｌ2／（Ｌ1＋Ｌ2）
Ｃ2＝Ｌ1／（Ｌ1＋Ｌ2）
と考えた場合とほぼ同じ値になる。
【０１６５】
従って、係数Ｃn（ｎ＝０〜７）は、角度による計算を行っても求められるし、距離による計算によって求められる。
【０１６６】
また、遅延などその他の処理を行う場合にはＣ1とＣ2の差は少なくなる。実際には、この計算で得られる値Ｃnを量子化して使うので必ずしも正確にこの値である必要はない。
【０１６７】
次に、図１７に示したダウンミックス回路における各アンプの遅延時間Ｔｄの決め方について図３４から図３６を用いて説明する。
【０１６８】
例えば、図３４に示した例では、Ｌ（左）スピーカとＲ（右）スピーカとが存在する。
【０１６９】
この場合、図３５に示すように、右耳で聞く音は夫々のスピーカを出た時刻を０とすると、（γ−ｄ／２）／Ｃ秒後にＲスピーカから出た音が到達し、（γ＋ｄ／２）／Ｃ秒後にＬスピーカから出た音が到達する。左耳で聞く音も同様に（γ−ｄ／２）／Ｃ秒後にＬスピーカの音が到達し、（γ＋ｄ／２）／Ｃ秒後にＲスピーカの音が到達する。
【０１７０】
従って最初に到達する音は、両耳とも同じ（γ−ｄ／２）／Ｃ秒後となる。
【０１７１】
ここで、音源がＲ′にあるとすると、右耳に到達する時刻は（γ′−ｄ／２）／Ｃとなり、左耳に到達する時刻は（γ′＋ｄ／２）／Ｃとなる。
【０１７２】
従って、夫々の耳に最初に到達する音の時間差Δｔは、
Δｔ＝ｄ′／Ｃとなる。
【０１７３】
ここで、Ｌスピーカ、Ｒスピーカから音を出し、夫々の耳に最初に到達する音の時刻に注目すると、音源がＲ′にあるときと同じ時間差を与えるにはＲスピーカによる右耳到達の時刻（γ−ｄ／２）／ＣとＬスピーカによる左耳到達の時刻（γ−ｄ／２）／Ｃの差がΔｔになればいいので、単純に左スピーカの音をΔｔ＝ｄ′／Ｃだけ遅延させればよい。
【０１７４】
しかるに、
ｄ′＝Lsinθ
であり、Ｌは通常１５〜１８ｃｍなので、Ｌ＝１８ｃｍとすれば、
Δｔ＝Lsinθ／Ｃ
となる。
【０１７５】
ここで、音速Ｃ＝３４０ｍ／secとすると、
Δｔ＝５３０μsec・sinθ
となる。
【０１７６】
従って、両スピーカに与える時間差は、
Ｔd＝Δｔ＝５３０μsec・sinθ
とすればよい。
【０１７７】
尚、実際には、この時間差は、提示する音圧によっても左右され、左右スピーカの音圧差をどの様に与えるかによって、この値は上下する。音圧差を大きくする場合には、この時間差Ｔdは小さくてもよく、場合によって０でもよい。一方、音圧差を小さくする場合には、その程度に応じてこの時間差Ｔdを大きくする。
【０１７８】
以上詳細に説明したように、本実施の形態によれば、ダウンミックス回路は、ＤＶＤから再生される制作者が指定したサラウンド制御情報及び視聴者が実在するスピーカ配置を指定した実在スピーカ配置情報に基づいて定まる係数Ｃｎをかけ、ゲインを変えることにより、実在のスピーカ配置とサラウンド制御情報により示されるスピーカ配置との相異に応じて、各チャンネルの音声信号を実際のスピーカ配置に対応した音声信号へとミックスダウンできる。この係数Ｃｎの決定は、サラウンド制御情報３００が一つのＤＶＤに一つだけ書込まれていれば、当該ＤＶＤの再生を開始する際に一度行われればよい。一方、各ＶＴＳに一つずつ書込まれていれば、当該ＶＴＳの再生を開始する度に行われる。このようにすれば、ＶＴＳ毎に制作者により異なるスピーカ配置が指定されていても、どのＶＴＳに対しても的確にサラウンド音場を再現することができる。また、各オーディオパケットの制御情報に、このサラウンド制御情報が書かれていると、出力すべく選択されているオーディオストリームをデジタルデータとして外部の機器（レシーバ等）に出力する際に一々このサラウンド制御情報を付加する必要が無い。更に、ダウンミックス回路は、ＤＳＰ等による信号処理を行って、スピーカ間の遅延時間Ｔｄ等を制御することもできる。
【０１７９】
尚、ミックスダウンする機能（図１７に示したダウンミックス回路やそのための配線等）は、再生装置Ｓ２自身が備えてよいが、再生装置Ｓ２と通信する機能を持つ各スピーカに接続されたレシーバ等が備えるようにしてもよい。また、このサラウンド音場をより正確に再現するように信号変換を行うためには、各スピーカの実際の配置を示す実在スピーカ配置情報のみならず、各スピーカの感度や出力ワット数についての情報を実在スピーカ配置情報と共に再生装置Ｓ２に指定しておき、このスピーカの感度やワット数にも基づいて前述のレベルの決定を行うようにしてもよい。この場合には、例えば、左右や前後のスピーカで感度が異なる場合には、相対的に感度が低いスピーカ程与える音声信号のレベルを高めることで音声信号の変換をより正確に行うようにしてもよい。
【０１８０】
上述の実施の形態では、図５に示したサラウンド制御情報３００の示すスピーカ配置と実在スピーカ配置情報の示すスピーカ配置との相異に基づいて信号変換処理を行っているが、図１０に示したサラウンドモード情報４００の示すスピーカ配置と実在スピーカ配置情報の示すスピーカ配置との相異に基づいて、信号変換処理を行うことができる。従って、サラウンドモード情報４００を用いても、上記実施の形態と同様に、各チャンネルの音声信号を実際のスピーカ配置に対応した音声信号へとミックスダウンでき、スピーカ間の遅延時間Ｔｄ等を制御することもできる。
【０１８１】
以上のように、本実施の形態によれば、前述の“（Ｉ）情報記録媒体の実施の形態”で説明したＤＶＤ１を再生し、複数チャンネルの音声信号及びサラウンド制御情報を介して、制作者の意図したサラウンド音場を視聴者独自のスピーカ配置を用いて再現することができる。
【０１８２】
以上夫々説明したように、本願の各実施形態によれば、比較的情報量の少ないサラウンド制御情報（例えば、１６種類の位置を示すためにチャンネル毎に４ビットの情報）を用いることにより、制作者は、多種多様に富んだマルチサラウンド用のスピーカの組み合わせ配置を比較的簡単に当該ＤＶＤ１を介して指定でき、視聴者は制作者の意図するサラウンド音場を比較的簡単に再現可能となる。
【０１８３】
また、更に情報量の少ないサラウンドモード情報（例えば、１６種類のモードを示すために全体で４ビットの情報）を用いることにより、制作者は、多種多様に富んだマルチサラウンド用のスピーカの組み合わせ配置を比較的簡単に当該ＤＶＤ１を介して指定でき、視聴者は制作者の意図するサラウンド音場を比較的簡単に再現可能となる。
【０１８４】
更にまた、再生装置Ｓ2において、オーディオパケットの単位で音声情報片へのアクセスが可能となり、融通性の高い再生が可能となる。
【０１８５】
また、再生装置Ｓ2において、制作者は、多種多様に富んだマルチサラウンド用のスピーカの組み合わせ配置を比較的簡単に当該ＤＶＤ１を介して指定及び表示させることができ、視聴者は制作者の意図するサラウンド音場を比較的簡単に再現できる。
【０１８６】
更に、再生装置Ｓ2において、制作者は、多種多様に富んだマルチサラウンド用のスピーカの組み合わせ配置を比較的簡単に当該ＤＶＤ１を介して指定でき、視聴者は、実際のスピーカ配置を指定することができ、指定したスピーカ配置とサラウンド制御情報が示すスピーカの配置とが一致しない場合であっても、制作者の意図するサラウンド音場を比較的簡単に再現できる。
【図面の簡単な説明】
【図１】本発明の一実施の形態としてのＤＶＤにおけるデータの物理的構成を示す概念図である。
【図２】図１のＤＶＤにおけるデータの論理的構成を示す概念図である。
【図３】図１のＤＶＤにおけるインターリーブドユニットの構成を示す概念図である。
【図４】図１のＤＶＤに対して設定される部屋内に置かれた１５種類のスピーカ配置を示す概念図である。
【図５】図１のＤＶＤに書込まれるサラウンド制御情報のデータ構造とその対応関係の一例を示す概念図である。
【図６】図５のサラウンド制御情報に含まれる音声チャンネル内容データの一例を示す表である。
【図７】図６の音声チャンネル内容データにより示されるスピーカ配置を示す概念図である。
【図８】図５のサラウンド制御情報に含まれる音声チャンネル内容データの他の例を示す表である。
【図９】図８の音声チャンネル内容データにより示されるスピーカ配置を示す概念図である。
【図１０】図１のＤＶＤに書込まれるサラウンドモード情報のデータ構造の一例を示す概念図である。
【図１１】図１０のサラウンドモード情報が示す複数のモードのうちの一つに対応するスピーカ配置を示す概念図である。
【図１２】本発明の他の実施の形態としての図１のＤＶＤを記録するための情報記録装置のブロック図である。
【図１３】本発明の他の実施の形態としての図１のＤＶＤを再生するための情報再生装置のブロック図である。
【図１４】図１３の再生装置のディスプレイにおける一表示画面を示すディスプレイ画面の平面図ある。
【図１５】図１３の再生装置に接続されるテレビにおける一表示画面を示すテレビ画面の平面図である。
【図１６】図１３の再生装置における音声信号の変換の一例を示す概念図である。
【図１７】図１３の再生装置の音声出力に接続されるダウンミックス回路を示すブロック図ある。
【図１８】図１７のダウンミックス回路による信号変換方式を説明するためのスピーカの配置を示す概念図である。
【図１９】図１７のダウンミックス回路による信号変換方式を説明するためのスピーカの配置を示す概念図である。
【図２０】図１７のダウンミックス回路による信号変換方式を説明するためのスピーカの配置を示す概念図である。
【図２１】図１７のダウンミックス回路による信号変換方式を説明するためのスピーカの配置を示す概念図である。
【図２２】図１７のダウンミックス回路による信号変換方式を説明するためのスピーカの配置を示す概念図である。
【図２３】図１７のダウンミックス回路による信号変換方式を説明するためのスピーカの配置を示す概念図である。
【図２４】図１７のダウンミックス回路による信号変換方式を説明するためのスピーカの配置を示す概念図である。
【図２５】図１７のダウンミックス回路による信号変換方式を説明するためのスピーカの配置を示す概念図である。
【図２６】図１７のダウンミックス回路による信号変換方式を説明するためのスピーカの配置を示す概念図である。
【図２７】図１７のダウンミックス回路による信号変換方式を説明するためのスピーカの配置を示す概念図である。
【図２８】図１７のダウンミックス回路による信号変換方式を説明するためのスピーカの配置を示す概念図である。
【図２９】図１７のダウンミックス回路による各アンプの係数Ｃｎを決める方法を説明する概念図である。
【図３０】図１７のダウンミックス回路による各アンプの係数Ｃｎを決める方法を説明する概念図である。
【図３１】図１７のダウンミックス回路による各アンプの係数Ｃｎを決める方法を説明する概念図である。
【図３２】図１７のダウンミックス回路による各アンプの係数Ｃｎを決める方法を説明する概念図である。
【図３３】図１７のダウンミックス回路による各アンプの係数Ｃｎを決める方法を説明する概念図である。
【図３４】図１７のダウンミックス回路による各アンプの遅延時間Ｔｄを決める方法を説明する概念図である。
【図３５】図１７のダウンミックス回路による各アンプの遅延時間Ｔｄを決める方法を説明する概念図である。
【図３６】図１７のダウンミックス回路による各アンプの遅延時間Ｔｄを決める方法を説明する概念図である。
【図３７】従来のドルビーＡＣ３方式におけるサラウンドモード情報を示す表である。
【図３８】図３７のドルビーＡＣ３方式におけるサラウンドモード情報が示す複数のモードのうちの一つに対応するスピーカ配置を示す概念図である。
【符号の説明】
１…ＤＶＤ
２…ビデオマネージャ
３、６３…ＶＴＳ
１０…ＶＯＢ
１１…コントロールデータ
２０…セル
３０…ＶＯＢユニット
４１…ナビパック
４２…ビデオパック
４３…オーディオパック
４４…サブピクチャパック
５０…ＰＣＩパケット
５１…ＤＳＩパケット
５２…ＧＯＰ
６０…プログラム
６１、６１Ａ、６１Ｂ…ＰＧＣ
６２…タイトル
７０…ＶＴＲ
７１…メモリ
７２…信号処理部
７３、７４…ハードディスク装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
８７…ＶＢＶバッファ
８８…ビデオデコーダ
８９…サブピクチャバッファ
９０…サブピクチャデコーダ
９２…オーディオバッファ
９３…オーディオデコーダ
９４…ＰＣＩバッファ
９５…ＰＣＩデコーダ
９６…ハイライトバッファ
９７…ハイライトデコーダ
９８…入力部
９９…ディスプレイ
１００…システムコントローラ
１０１…ドライブコントローラ
１０２…スピンドルモータ
１０３…スライダモータ
１２０ａ、１２０ｂ、１２０ｃ、１２０ｄ…ダウンミックス回路
３００…サラウンド制御情報
４００…サラウンドモード情報
Ｓ1…記録装置
Ｓ2…再生装置
ＤＫ…光ディスク
Ｓr…圧縮多重信号
Ｓa…付加情報信号
Ｓdm…復調信号
Ｓad…オーディオ信号
Ｓsp…副映像信号
Ｓv…ビデオ信号
【図１】
0003785154.tif 000004
【図２】
0003785154.tif 000005
【図３】
0003785154.tif 000006
【図４】
0003785154.tif 000007
【図５】
0003785154.tif 000008
【図６】
0003785154.tif 000009
【図７】
0003785154.tif 000010
【図８】
0003785154.tif 000011
【図９】
0003785154.tif 000012
【図１０】
0003785154.tif 000013
【図１１】
0003785154.tif 000014
【図１２】
0003785154.tif 000015
【図１３】
0003785154.tif 000016
【図１４】
0003785154.tif 000017
【図１５】
0003785154.tif 000018
【図１６】
0003785154.tif 000019
【図１７】
0003785154.tif 000020
【図１８】
0003785154.tif 000021
【図１９】
0003785154.tif 000022
【図２０】
0003785154.tif 000023
【図２１】
0003785154.tif 000024
【図２２】
0003785154.tif 000025
【図２３】
0003785154.tif 000026
【図２４】
0003785154.tif 000027
【図２５】
0003785154.tif 000028
【図２６】
0003785154.tif 000029
【図２７】
0003785154.tif 000030
【図２８】
0003785154.tif 000031
【図２９】
0003785154.tif 000032
【図３０】
0003785154.tif 000033
【図３１】
0003785154.tif 000034
【図３２】
0003785154.tif 000035
【図３３】
0003785154.tif 000036
【図３４】
0003785154.tif 000037
【図３５】
0003785154.tif 000038
【図３６】
0003785154.tif 000039
【図３７】
0003785154.tif 000040
【図３８】
0003785154.tif 000041